(57)【特許請求の範囲】
【請求項１】
ビットストリームを多数の空間データストリームにパーシングする段階と、
インターリビング動作後、空間データストリームによって異なる周波数ローテーションを行うことによって、一つまたはそれ以上の空間データストリームそれぞれにあるビットをインターリビングする段階、および
それぞれの空間データストリーム上の該ビットを伝送する段階と、を含み、
前記周波数ローテーションは下記の式に従い、
【数１】
0005592346.tif 000007
ｊ＝０、１、…、ＮＣＢＰＳ−１、
ここでＮＢＰＳＣはサブキャリア当たり符号化されたビットの数であり、ＮＣＢＰＳは一つのＯＦＤＭシンボルにある符号化されたビットの数に対応するブロックのサイズであり、ｊは二番目の置換後および３番目の置換前のインデックスであり、ｒは３番目の置換後のインデックスであり、ｉＳＳ＝１、…、ＮＳＳはインターリビング動作をする空間ストリームのインデックスであり、ＮＳＳは全体の空間データストリームの数であり、Ｎｒｏｔは使用される基本ローテーション数である無線システムでのデータ通信方法。
【発明の詳細な説明】
【技術分野】
【０００１】
本発明は一般的データ通信に関するものであって、より詳細には多重アンテナチャネルを通してＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）を用いて伝送ダイバーシティを有したデータ通信に関するものである。
【背景技術】
【０００２】
無線通信システムにおいて、アテナダイバーシティはシステムリンク（ｌｉｎｋ）の堅固性を向上させるに重要な役割をする。ＯＦＤＭは、ラジオ周波数信号（以下ＲＦという）を用いて、デジタル信号を伝送する多重化技術で用いられている。ＯＦＤＭでラジオ信号は互いに異なる周波数帯で一つの受信機に同時に伝達され得るいくつかのサブ信号に分割される。それぞれのサブ信号はそれ自体の固有の周波数領域（サブチャネル）内で移動し、それはデータによって変調される。ＯＦＤＭは他の周波数帯で一定の間隔で離れている多重チャネルにこのデータを分散させる。
【０００３】
ＯＦＤＭ変調はデータビットが周波数領域でサブチャンネルにエンコードされるＦＦＴ（Ｆａｓｔ  Ｆｏｕｒｉｅｒ  Ｔｒａｎｓｆｏｒｍ）方式のような変換を用いて通常に行われる。そうすることによって送信機では、通信チャネルに通し伝送のための時間領域のＯＦＤＭシンボルを生成するため、ＩＦＦＴ（Ｉｎｖｅｒｓｅ  ＦＦＴ）が一連の周波数チャネルで行われる。ＩＦＦＴ方式はそれぞれのサブチャネルに対する周波数領域のデータを後ほどＲＦ変調器用のアナログ変調された信号に変わる時間領域のサンプルブロックに変換する。受信機で、時間領域のデータを周波数領域のデータに変えるためのＦＦＴ過程をそれぞれのシンボルに実行することによってＯＦＤＭ信号は処理され、データはサブチャネルの位相と振幅を検査することによってデコードされる。したがって、受信機では送信機での逆過程が実行される。その上、送信アンテナのダイバーシティ方式（ダイバーシティ  ｓｃｈｅｍｅ）は、ＯＦＤＭシステムの信頼性を向上させるために用いられる。このようなＯＦＤＭシステムで送信ダイバーシティ方式は前述したように周波数領域でエンコードされる。
【０００４】
ＯＦＤＭは高速ＷＬＡＮ（Ｗｉｒｅｌｅｓｓ  Ｌｏｃａｌ  Ａｒｅａ  Ｎｅｔｗｏｒｋ）標準の基礎であってＩＥＥＥ  ８０２．１１ａ標準化団体によって採択されたものであり、またＷＬＡＮ  ８０２．１１ｎの多い処理量のための基礎としても考慮されている。ＷＬＡＮ  ８０２．１１ｎを実施する一般的なＯＦＤＭ  ＭＩＭＯシステムのための典型的な送信機はチャネルエンコーダ（ｃｈａｎｎｅｌ  ｅｎｃｏｄｅｒ）、パンクチャー（ｐｕｎｃｔｕｒｅ）、空間パーザ（ｓｐａｔｉａｌ  ｐａｒｓｅｒ）、および多数のデータストリームの処理経路（ｍｕｌｔｉｐｌｅ  ｄａｔａ  ｓｔｒｅａｍ  ｐｒｏｃｅｓｓｉｎｇ  ｐａｔｈ）を含む。それぞれのデータストリームの処理経路はインターリーバ（ｉｎｔｅｒｌｅａｖｅｒ）、コンステレーションマッピング（ｃｏｎｓｔｅｌｌａｔｉｏｎ  ｍａｐｐｅｒ）、ＩＦＦＴ部（ＩＦＦＴ  ｆｕｎｃｔｉｏｎ）、保護区間挿入部（ｇｕａｒｄ  ｉｎｔｅｒｖａｌ  ｉｎｓｅｒｔｉｏｎ  ｗｉｎｄｏｗ）、およびＲＦ変調器（ＲＦ  ｍｏｄｕｌａｔｏｒ）を含む。
【０００５】
システムのパーザとインターリーバ部分で、符号化されてパンクチャーされたビットは空間ストリーム（ｓｐａｔｉａｌ  ｓｔｒｅａｍ）と周波数トーンを通しインターリーブされる。空間−周波数インターリビングには空間ストリームパーシングと周波数インターリビングの二段階がある。最初に、符号化されてパンクチャーされたビットはラウンド−ロビンパーザ（ｒｏｕｎｄ−ｒｏｂｉｎ  ｐａｒｓｅｒ）によって多数の空間ストリームにパスされる。パーザは一番目の空間ストリームから始まるラウンド−ロビン方式で連続的なビットのブロックを他の空間ストリームに伝送する。次に、すべてエンコードされたビットは、一つのＯＦＤＭシンボルにあるビットの数に対応するブロックサイズで別途のブロックインターリーバによって個々の空間ストリームにインターリーブされる。ブロックインターリーバは、多数の空間ストリームおよび４０ＭＨｚ送信を可能とする所定の修正が加えられた８０２．１１ａインターリーバに基づく。
【０００６】
インターリーバは、二段階の置換（ｐｅｒｍｕｔａｔｉｏｎ）によって定義される。一番目の置換は、隣接する符号化されたビットが隣接しないサブキャリアにマッピングされるようにする。二番目の置換は、符号化されたビットが選択的に配列の多少重要なビットにマッピングされるようにし、それによって、低い信頼性を有したビット（ＬＳＢ）が長く連続されることを防ぐことができる。受信機のデインタリーバ（ｄｅｉｎｔｅｒｌｅａｖｅｒ）はインタリーバと反対の動作を行い、またインターリーバの二段階置換に対応する二段階の置換によって定義される。
【０００７】
このような一般的なシステムは、ブロックでの記録、多重アンテナ伝送のための列ローテーション（ｃｏｌｕｍｎ  ｒｏｔａｔｉｏｎ）、およびＳ．Ａ．Ｍｕｊｔａｂａが２００４年１１月にＩＥＥＥ  ８０２．１１  １１−０４−８８９ｒ１に投稿した『ＴＧｎ  ｓｙｎｃ  Ｐｒｏｐｏｓａｌ：  Ｔｅｃｈｎｉｃａｌ  Ｓｐｅｃｉｆｉｃａｔｉｏｎ．』とＭａｎｏｎｅｅｔ  Ｓｉｎｇｈ  ｅｔ  ａｌ．およびＢｒａｕｃｅ  Ｅｄｗａｒｄｓ  ｅｔ  ａｌ．が２００４年１１月にＩＥＥＥ  ８０２．１１  １１−０４−０８８６ｒ４に投稿した『ＷＷＩＳＥ  ｐｒｏｐｏｓａｌ：    Ｈｉｇｈ  ｔｈｒｏｕｇｈｐｕｔ  ｅｘｔｅｎｓｉｏｎ  ｔｏ  ｔｈｅ  ８０２．１１  Ｓｔａｎｄａｒｄ』で記述したように一つの列内でのＰＡＭ順序ローテーション（ＰＡＭ  ｏｒｄｅｒ  ｒｅｔａｔｉｏｎ）を提供する。しかし、列はただ一つの列ずつだけローテーションするため、隣接するビットはそれぞれ２０ＭＨｚと４０ＭＨｚシステムで単に３と６サブキャリアの程度だけ離れている。その結果、関係したチャネルでダイバーシティ利益は完全に利用することができない。
【０００８】
他の一般的な送信機のデザインは、チャネルエンコーダ、パンクチャー、周波数インターリーバ、空間パーザ、および二つのデータストリームの処理経路を含む。それぞれのデータストリームの処理経路はコンステレーションマッピング、ＩＦＦＴ部、保護区間挿入部、およびＲＦ変調器を含む。インターリーバは、二つの連続的なＯＦＤＭシンボルが二つの異なるアンテナにパスされる前にインターリビングされるようにする。一番目の置換のための式は次の通りである。
【０００９】
ｉ＝ＮｒｏｗＸ（ｋｍｏｄＮｃｏｌｕｍｎ）＋ｆｌｏｏｒ（ｋ／Ｎｃｏｌｕｍｎ）
ここでＮｃｏｌｕｍｎ  ＝  ３２、Ｎｒｏｗ  ＝  ２ＮＣＢＰＳ／  Ｎｃｏｌｕｍｎ
インターリビング後、空間パーザはラウンド−ロビン方式によってグループ内にインターリーブされたビットを他の空間ストリームにパスする。グループサイズは一つのＱＡＭシンボルにあるビットの数と同じである。例えば、６４ＱＡＭの場合、６個のビットは一つの空間ストリームにパスされ、次の６個ビットは他の空間ストリームにパスされる。しかし、このような送信機は他のチャネルコーディングと異なる特定のストリームに対する変調方式に適応するほど柔軟ではない。
【発明の概要】
【発明が解決しようとする課題】
【００１０】
本発明が解決しようとする課題は、柔軟性があって、最適化された無線システムでのデータ通信方法を提供しようとするものである。
【００１１】
本発明が解決しようとする他の技術的課題は、柔軟性があって、最適化された無線通信システムを提供しようとするものである。
【００１２】
本発明の技術的課題は、以上で言及した技術的課題に制限されず、言及されていないまた他の技術的課題は次の記載から当業者に明確に理解できるであろう。
【課題を解決するための手段】
【００１３】
一実施形態で、本発明は他のチャネルコーディングと異なる特定のストリームに対する変調方式に十分に適応できる柔軟な送信機のためのインターリーバデザインを提供する。
【００１４】
したがって、本発明の実施形態によるＭＩＭＯ無線システムは、ビットストリームを多数の空間データストリームにパスするパーザと多数の空間データストリームに対応する多数のインターリーバを有する送信機を含む。ここで、それぞれのインターリーバは無線システムのダイバーシティ増加のため、多数の列ローテーションおよび少なくとも一つの行ローテーションと同一な周波数ローテーションを行うことによって、対応する空間データストリーム上のビットをインターリーブする。ＭＩＭＯ無線システムは、また送信機によって伝送された空間ビットストリームをデインタリーブするデインタリーブを有する受信機を含む。
【発明の効果】
【００１５】
前記したようなＩＥＥＥ  ８０２．１１ｎ標準のため改善されたインターリーバによれば、チャネル状態など通信環境に柔軟に適応し、最適化された伝送ができる効果がある。
【図面の簡単な説明】
【００１６】
【図１Ａ】本発明による２０ＭＨｚで２−アンテナＭＩＭＯのための送信データ経路を有するＯＦＤＭ  ＭＩＭＯ送信機の実施形態に対する機能ブロック図である。
【図１Ｂ】本発明による４０ＭＨｚで２−アンテナＭＩＭＯのための送信データ経路を有するＯＦＤＭ  ＭＩＭＯ送信機の実施形態に対する機能ブロック図である。
【図２】本発明によるＭＩＭＯ送信機でインターリビングの過程の実施形態を示すフローチャートである。
【図３】本発明の他の実施形態によるインターリーバの機能ブロック図である。
【図４】本発明によるデインタリーブを含むＯＦＤＭ  ＭＩＭＯ受信機の実施形態に対する機能ブロック図である。
【図５Ａ】２０ＭＨｚチャネルでのシミュレーション結果の例である。
【図５Ｂ】２０ＭＨｚチャネルでのシミュレーション結果の例である。
【図６】本発明の他の実施形態によるＯＦＤＭ  ＭＩＭＯ送信機の実施形態に対する機能ブロック図である。
【発明を実施するための形態】
【００１７】
本発明の利点及び特徴、並びにそれらを達成する方法は、添付する図面とともに、後述する実施形態を参照することにより明確になる。
【００１８】
一実施形態で、本発明はＭＩＭＯシステムでビットストリームをインターリビングする方法を提供する。インターリビング方法は、無線システムのダイバーシティを円滑に探索し、実施を簡単にするために周波数ローテーションを使用する。
【００１９】
図１Ａは本発明の実施形態による２０ＭＨｚチャネルでＷＬＡＮ  ８０２．１１ｎを実施するＯＦＤＭ  ＭＩＭＯシステム１００のブロック図である。システム１００は、送信機１０１と受信機１０２を含む。送信機１０１はチャネルエンコーダ１０３、パンクチャー１０４、空間パーザ１０６、そして二つのデータストリームの処理経路１０７を含む。それぞれのデータストリームの処理経路１０７は、インターリーバ（一番目の処理経路のインターリーバ１０８Ａと二番目の処理経路のインターリーバ１０８Ｂ）、コンステレーションマッピング１１０、ＩＦＦＴ部１１２、保護区間挿入部１１４、そしてＲＦ変調器１１６を含む。空間のパーザ１０６およびインターリーバ１０８Ａ、１０８Ｂので、符号化されてパンクチャーされたビットは空間ストリームと周波数トーンを通しインターリーブされる。空間−周波数インターリビングには空間ストリームパーシングと周波数インターリビングの二つの段階がある。
【００２０】
一般的に、エンコードされてパンクチャーされたビットは下記の式のようにラウンド−ロビンパーザによって多数の空間ストリームにパスされる。
【００２１】
式１
ｓ  ＝  ｍａｘ｛ＮＢＰＳＣ／２、１｝
ここでｓは、各ラウンドごとに一つのアンテナにパスされたビットの数であり、ＮＢＰＳＣは、サブキャリア当たり符号化されたビットの数である。一般的なパーザは最初の空間ストリームで始まるラウンド−ロビン方式で連続的なｓビットのブロックを他の空間ストリームに伝送する。すべてのエンコードされたビットは、一般的に一つのＯＦＤＭシンボル（ＮＣＢＰＳ）にある符号化されたビットの数に対応するブロックサイズでそれぞれの空間ストリームに対して別途のブロックインターリーバによってインターリーブされる。一般的なブロックインターリーバは多数の空間ストリームおよび４０ＭＨｚ送信が可能となるように修正が加えられた８０２．１１ａインターリーバに基づく。
【００２２】
基本的なインターリーバアレイ（ａｒｒａｙ）は、Ｎｒｏｗ行とＮｃｏｌｕｍｎ列を有しており、ＮＢＰＳＣはサブキャリア当たり符号化されたビットの数であり（例えばＮＢＰＳＣはＢＰＳＫでは１、ＱＰＳＫでは２、１６ＱＡＭでは４である）、インターリーバパラメータ（ｐａｒａｍｅｔｅｒ）は下の表１の通りである。
【００２３】
【表１】
0005592346.tif 000002
一般的なインターリーバは二段階の置換によって定義される。一番目の置換は、隣接する符号化されたビットが隣接しないサブキャリアにマッピングされるようにする。一番目の置換は、８０２．１１ａインターリーバによって変形され、アレイの列インデックス（ｃｏｌｕｍｎ  ｉｎｄｅｘ）がそれぞれの空間ストリームに対して一列ずつロウテイト（ｒｏｔａｔｅ）される。二番目の置換は、符号化されたビットが選択的に配列の多少重要なビットにマッピングされるようにして低い信頼性を有するビット（ＬＳＢ）が長く連続することを防ぐことができる。
【００２４】
下記の式２および３は、一般的なインターリーバを定義し、ここで一番目の置換前に符号化されたビットのインデックスはｋと表現され、ｉは一番目の置換後、二番目の置換前のインデックスである。一般的なインターリーバで一番目の置換は下記の式２によって定義される。
【００２５】
式２
ｉ＝ＮｒｏｗＸ（（（ｋｍｏｄＮｃｏｌｕｍｎ）＋ｉＳＳ）ｍｏｄＮｃｏｌｕｍｎ）＋ｆｌｏｏｒ（ｋ／Ｎｃｏｌｕｍｎ）、
ｋ＝０、１、…、ＮＣＢＰＳ−１、
ここでｉＳＳ＝０、１、…、ＮＳＳ−１は、インターリーバが動作する空間ストリーミングのインデックスである。ｉＳＳの挿入は８０２．１１ａインターリーバの変形である。これはデインターリビングの過程で『列オフセット（ｃｏｌｕｍｎ  ｏｆｆｓｅｔ）』が行われるようにする。すなわち、ビットは行単位で読み込まれ列単位で読み出されるが、列循環方式（ｃｏｌｕｍｎ−ｃｙｃｌｉｃ  ｆａｓｈｉｏｎ）によってｉＳＳ列から始まる。
【００２６】
また、一般的に二番目の置換は、下記の式３によって定義され、ここでｊは二番目の置換後、変調マッピング（ｍａｐｐｉｎｇ）する直前のインデックスである。
【００２７】
式３
ｊ＝ｓＸｆｌｏｏｒ（ｉ／ｓ）＋（ｉ＋ＮＣＢＰＳ−ｆｌｏｏｒ（ＮｃｏｌｕｍｎＸｉ／ＮＣＢＰＳ））ｍｏｄｓ、
ｉ＝０、１、…、ＮＣＢＰＳ−１、
ここでｓは下記の式４によって決まる。
【００２８】
式４
ｓ＝ｍａｘ（ＮＢＰＳＣ／２、１）。
【００２９】
類似に、受信機のデインタリーバは反対の式を行い、前記一般的なインターリーバでの置換に対応する一番目と二番目の置換によって定義される。式５および６はこのような一般的なデインタリーバの一番目と二番目の置換を定義し、ここで一番目の置換前に受信した原本ビットのインデックスはｊと表現され、ｉは一番目の置換後および二番目の置換前のインデックスを示す。
【００３０】
一般的にデインタリーバでの一番目の置換は下記の式５によって定義される。
【００３１】
式５
ｉ＝ｓＸｆｌｏｏｒ（ｊ／ｓ）＋（ｊ＋ｆｌｏｏｒ（ＮｃｏｌｕｍｎＸｊ／ＮＣＢＰＳ））ｍｏｄｓ、
ｊ＝０、１、…、ＮＣＢＰＳ−１、
ここでｓは前記式４によって決まる。式５で一番目の置換は前記式３で置換の反対である。
【００３２】
一般的に、デインタリーバでの二番目の置換は下記の式６によって定義され、ここでｋは二番目の置換後のインデックスである。
【００３３】
式６
ｋ＝Ｎｃｏｌｕｍｎ（ｉｍｏｄＮｒｏｗ）＋（ｆｌｏｏｒ（ｉ／Ｎｒｏｗ）−ｉＳＳ＋Ｎｃｏｌｕｍｎ）ｍｏｄＮｃｏｌｕｍｎ、
ｉ＝０、１、…、ＮＣＢＰＳ−１
式６での二番目の置換は前記式２でインターリーバ置換の反対である。
【００３４】
前述したように、一般的なシステムはブロックでの記録、多重アンテナ送信のための列ローテーション、および列内でＰＡＭ順序ローテーションを提供する。しかし、列は単に一列ずつだけローテーションするため、隣接するビットは例えば２０ＭＨｚ、４０ＭＨｚシステムで３、６サブキャリアだけ離れる。その結果、相互関連されたチャネルでダイバーシティ利益を十分に得られない。
【００３５】
２００５年４月１２日出願された出願番号ＵＳ１１／１０４、８０８である特許では、改善されたインターリビングの過程は無線システムのダイバーシティを十分に探索するため、列内で可能な限り最も大きい範囲まで列ローテーションを増加させるものと説明している。このような改善されたインターリビングの過程の一番目の置換において、列ローテーションは、一つの列ローテーションから（（Ｎｃｏｌｕｍｎ／ＮＳＳ）ＸｉＳＳ）列ローテーションまで変わり、ここでＮＳＳは全体の空間データストリームの数であり、ｉＳＳは例えば、０からＮＳＳ−１まで変わる空間データストリームのインデックスである。このように前記一般的なインターリビングの式２とは異なり、改善されたインターリビングの過程での一番目の置換は下記の式７によって定義される。
【００３６】
式７
ｉ＝ＮｒｏｗＸ（（（ｋｍｏｄＮｃｏｌｕｍｎ）＋ｆｌｏｏｒ（Ｎｃｏｌｕｍｎ／ＮＳＳ）ＸｉＳＳ）ｍｏｄＮｃｏｌｕｍｎ）＋ｆｌｏｏｒ（ｋ／Ｎｃｏｌｕｍｎ）、
ここでｋ＝０、１、…、ＮＣＢＰＳ−１、
受信機側でディインターリビングの過程は、受信されたビットはデインターリビングするために逆過程を行う。前記式６での一般的なデインターリビングとは異に、デインタリーバでの二番目の置換は下記の式８によって定義される。
【００３７】
式８
ｋ＝ＮｃｏｌｕｍｎＸ（ｉｍｏｄＮｒｏｗ）＋（ｆｌｏｏｒ（ｉ／Ｎｒｏｗ）−ｆｌｏｏｒ（Ｎｃｏｌｕｍｎ／ＮＳＳ）ＸｉＳＳ＋Ｎｃｏｌｕｍｎ）ｍｏｄＮｃｏｌｕｍｎ、
ここでｉ＝０、１、…、ＮＣＢＰＳ−１  
例えば、仮に２個のデータストリームが改善されたインターリビングの過程によって伝送されれば、隣接するデータビットは２０ＭＨｚチャネルから他のデータストリームに対して８列、４０ＭＨｚチャネルでは９列離れるようになる。
【００３８】
一例として、多数の空間ストリームがある送信機で、一番目のデータストリームにあるビットのブロックは、そのブロック内でいかなるローテーションも行わず伝送されうるものである。一般的にそれぞれに残っている空間ストリームは、一番目の空間ストリームに比例してｉｓｓ列ローテーション後に伝送される。しかし、改善されたインターリビングの過程を使用すれば、それぞれに残っている空間ストリームは多数の列ローテーションが行われた後に伝送され、ここでローテーションの数はインターリーバアレイの列の数を空間ストリームの数に割ったものである。
【００３９】
他の例としては、一つの空間ストリームは一番目のアンテナを通して伝送され、他の空間ストリームは二番目アンテナを通して伝送される二つの空間ストリームがある送信機で、一番目のビットのブロックはそのブロック内でいかなるローテーションも行わず一番目のアンテナを通して伝送される。一般的に二番目アンテナで、データは一つの列ローテーションを伴い伝送され、ここで、二番目の列は一番目の列にロウテイトされるなどのローテーションが行われ、その結果、すべての列は一列ずつ左に移動するようになる。しかし、改善されたシステムでの二番目アンテナの場合、ローテーション数はインターリーバアレイの列の数をアンテナの数で割ったものである。例えば、二つのアンテナを有する２０ＭＨｚ送信機で、インターリーバアレイはビットの１６列および３行を有する。改善されたインターリーバを使用すれば、二番目のアンテナでローテーションの数は列の数１６をアンテナの数２で割ったものであるので、８の列ローテーションが行われる。このように９−１６列はブロックアレイの一番目の部分（最初の８列）に、１−８列はブロックアレイの二番目の部分（次の８列）に伝送されるために移される。
【００４０】
改善されたインターリーバで複数の列ローテーションインターリビングを使用するＭＩＭＯシステムの性能（例えばパケットエラー率（Ｐａｃｃｋｅｔ  Ｅｒｒｏｒ  Ｒａｔｅ、以下ＰＥＲという）対雑音率（Ｓｉｇｎａｌ  ｔｏ  Ｎｏｉｓｅ  Ｒａｔｉｏ、以下ＳＮＲという））は、単数の列ローテーションインターリビングをする一般的なシステムより優れる。これはＯＦＤＭで他のサブキャリアが使用されてビットが多数の列ずつロウテイトされる時、隣接するビットが空間領域とサブキャリア空間でさらによく分離されて伝送チャネル上でのフェーディング（ｆａｄｉｎｇ）を減らすためである。
【００４１】
改善されたインターリビングの過程による多数の列ローテーションを使用すれば、二つの隣接するビットは同じチャネルに配置される確率が減る。このように受信機で受信されたデータビットがコンボリューションデコーディング（ｃｏｎｖｏｌｕｔｉｏｎ  ｄｅｃｏｄｉｎｇ）でデインタリーブされる時、仮に一つのビットがフェーディングチャネルでの伝送によって、低いエネルギーを有すれば（不良ビット（ｂａｄ  ｂｉｔ））、良好ビット（ｇｏｏｄ  ｂｉｔ）がコンボリューションデコーディングによって不良ビットを復旧するために使用され得る。
【００４２】
一般的な一つの列ローテーションインターリビングで、隣接するデータビットは空間的に隣接して不良伝送チャネル（ｂａｄ  ｔｒａｎｓｍｉｓｓｉｏｎ  ｃｈａｎｎｅｌ）に配置されることができる。このように同じ不良チャネルに配置されるいくつかの連続したビットがある場合、受信機でコンボリューションデコーディングによって不良ビットを復旧することが難しい。しかし、改善されたインターリビングの過程で多数の列ローテーションを利用すれば、隣接するビットは空間的に分離されてこれが同じ不良またはフェーディングチャネルから伝送される可能性が少ない。このように仮に一つのビットが不良チャネルに伝送されて隣接するビットが良好なチャネルを通して伝送されれば、受信機でのデコーディングは良好なチャンネルを通して伝送されたビットを使用して不良チャネルを通して伝送されたビットを相変らず復旧することができる。
【００４３】
代理人であるＤｏｃｋｅｔ  Ｎｏ．Ｓ．ＡＭ２Ｂ．ＰＡＵ．０７によって特許出願中である『Ａｎ  ｉｍｐｒｏｖｅｄ  ｉｎｔｅｒｌｅａｖｅｒ  ｄｅｓｉｇｎ  ｆｏｒ  ＩＥＥＥ  ８０２．１１ｎ  ｓｔａｎｄａｒｄ』では、隣接するビットを他のサブ帯域（ｓｕｂ  ｂａｎｄ）および他の空間ストリームにさらに分離させるため、より大きい列ローテーションの他に追加的な行ローテーションが異なる空間ストリームで行われ、これによれば前記式２は下記の式１０によって変化するようになる。
【００４４】
式１０
ｉ＝Ｎｒｏｗ＊（（（ｋｍｏｄＮｃｏｌｕｍｎ）＋ｆｌｏｏｒ（Ｎｃｏｌｕｍｎ／ＮＳＳ）＊ｉＳＳ）ｍｏｄＮｃｏｌｕｍｎ）＋（ｆｌｏｏｒ（ｋ／Ｎｃｏｌｕｍｎ）＋ｃｅｉｌ（Ｎ／ＮＳＳ＊ｉＳＳ）＊ＮＢＰＳＣ）ｍｏｄ  Ｎｒｏｗ
ここでＫ＝０、１、…、ＮＣＢＰＳ−１、ｉＳＳ＝０、…、ＮＳＳ−１であり、ＮＳＳは空間データストリームの数である。
【００４５】
したがって、対応するデインターリビング式は下記の式１１で修正される。
【００４６】
式１１
ｋ＝（Ｎｃｏｌｕｍｎ＊（ｉｍｏｄＮｒｏｗ）＋（ｆｌｏｏｒ（ｉ／Ｎｒｏｗ−ｆｌｏｏｒ（Ｎｃｏｌｕｍｎ／ＮＳＳ）＊ｉＳＳ）ｍｏｄＮｃｏｌ＋Ｎｃｏｌｕｍｎ＊（Ｎ−ｃｅｉｌ（Ｎ／ＮＳＳ＊ｉＳＳ））＊ＮＢＰＳＣ）ｍｏｄＮＣＢＰＳ、
ここでｉ＝０、１、…、ＮＣＢＰＳ−１、ｉＳＳ＝０、…、ＮＳＳ−１であり、ＮＳＳは空間データストリームの数である。
【００４７】
改善されたインターリーバ／デインターリーバ
本発明によってより改善されたインターリビングの過程の実施形態は、図１Ａのシステム１００で実施され、隣接するビットを他のサブバンドと他の空間ストリームでさらによく分離するため、より大きい列ローテーション（例えば、Ｎｃｏｌ／ＮＳＳ）以外に周波数ローテーションによって一つまたはそれ以上の追加的な列および行ローテーションの結合を有する空間ストリームに対する行ローテーションが行われる。
【００４８】
インターリーバブロック（アレイ）で問題点を見る代りに、本発明の実施形態による列および行インターリビングの実施は二段階を含む。一番目に、ＩＥＥＥ  ８０２．１１ａインターリーバパラメータを用いて、すべてのデータストリームに対して同じインターリビングを実施する。そして、出力データビットはＯＦＤＭシンボルの他のサブキャリアにマッピングされる。二番目に、インターリーバ動作の一番目の置換で列および行ローテーションと同じ効果を得るため、他のデータストリームに対するサブキャリア周波数について他の循環移動（ｃｙｃｌｉｃ  ｓｈｉｆｔ）が行われる。
【００４９】
本発明の実施形態によるより改善されたインターリビングの過程の一例は、下記の式１２−１４によるインターリーバ１０８Ａ、１０８Ｂによって成される。
【００５０】
式１２
ｉ＝ＮｒｏｗＸ（ｋｍｏｄＮｃｏｌｕｍｎ）＋ｆｌｏｏｒ（ｋ／Ｎｃｏｌｕｍｎ）、ｋ＝０、１、…、ＮＣＢＰＳ−１、
式１３
ｊ＝ｓＸｆｌｏｏｒ（ｉ／ｓ）＋（ｉ＋ＮＣＢＰＳ−ｆｌｏｏｒ（ＮｃｏｌｕｍｎＸｉ／ＮＣＢＰＳ））ｍｏｄｓ、ｉ＝０、１、…、ＮＣＢＰＳ−１、
ここでｓはｓ＝ｍａｘ（ＮＢＰＳＣ／２、１）によって決定される。
【００５１】
式１４
ｒ＝（ｊ−（（２ＸｉＳＳ）ｍｏｄ３＋３Ｘｆｌｏｏｒ（ｉＳＳ／３））ＸＮｒｏｔＸＮＢＰＳＣ）ｍｏｄＮＣＢＰＳ、ｊ＝０、１、…、ＮＣＢＰＳ−１、
式１２−１４で、一番目の置換前に符号化されたビットのインデックスはｋと表示され、ｉは一番目の置換後および二番目の置換前のインデックスであり、ｊは二番目の置換後および３番目の置換前のインデックスであり、ｒは３番目の置換後のインデックスであり、ｉＳＳ＝０、１、…、ＮＳＳ−１はインターリーバが作用する空間ストリームのインデックスであり、Ｎｒｏｔは使用される基本ローテーション数である。Ｎｒｏｔは２０ＭＨｚと４０ＭＨｚ動作でそれぞれ１１と２９に選択する。パラメータｉＳＳは最初ストリームのようにそれぞれのストリームのローテーションを調節し、周波数ローテーションはない。
【００５２】
前記式１２は隣接する符号化されたビットが隣接しないサブキャリアにマッピングされるようにする。前記式１３は低い信頼性を有したビット（ＬＳＢ）が長く連続することを防ぐため、符号化されたビットが交代で多少重要な配列のビットにマッピングされるようにする。式１４は周波数ローテーション動作を示す。
【００５３】
したがって、実施形態の受信機１０２でデインタリーバ１１８Ａ、１１８Ｂに対応するデインターリビング式は下記の式１５−１７を従う。
【００５４】
式１５
ｘｄ＝（ｘｄｄ＋（（２Ｘｉｓｓ）ｍｏｄ３＋３Ｘｆｌｏｏｒ（ｉＳＳ／３））ＸＮｒｏｔＸＮＢＰＳＣ）ｍｏｄＮＣＢＰＳ、
ｘｄｄ＝０、１、…、ＮＣＢＰＳ−１、
式１６
ｊｄ＝ｓＸｆｌｏｏｒ（ｊｄｄ／ｓ）＋（ｊ＋ｆｌｏｏｒ（ＮｃｏｌｕｍｎＸｊｄｄ／ＮＣＢＰＳ））ｍｏｄｓ、
ｊｄｄ＝０、１、…、ＮＣＢＰＳ−１、  
式１７
ｉｄ＝ＮｃｏｌｕｍｎＸｉｄｄ−（ＮＣＢＰＳ−１）Ｘｆｌｏｏｒ（ＮｃｏｌｕｍｎＸｉｄｄ／ＮＣＢＰＳ）、
ｉｄｄ＝０、１、…、ＮＣＢＰＳ−１、
ここでｉｄｄ、ｊｄｄは各段階で動作前のインデックスを示すところ、ｘｄｄは一番目の置換前、ｊｄｄは一番目の置換後および二番目の置換前、ｉｄｄは二番目の置換後および３番目の置換前の符号化されたビットのインデックスを示し、ｘｄは二番目の置換前および一番目の置換後のインデックスであり、ｊｄは３番目の置換前および二番目の置換後のインデックスであり、ｉｄは３番目の置換後のインデックスである。
【００５５】
前記式１５−１７はそれぞれ式１４−１２段階と反対に動作する。
【００５６】
例えば２０ＭＨｚチャネル化の場合、インターリーバのブロックサイズは３＊ＮＢＰＳＣ行と１６列である。二つのデータストリームの場合、一番目のデータストリームに対するインターリーバはＩＥＥＥ  ８０２．１１ａインターリーバと同じであり得る。しかし、二番目データストリームの場合、本発明の実施形態によれば通常の８０２．１１ａインターリーバの動作の他に付加的な周波数ローテーション段階がＩＦＦＴ動作前に追加される。
【００５７】
ＮＢＰＳＣ＝１であるＢＰＳＫの簡単な例をみれば、後述する表２（ａ）−（ｃ）はインターリビング動作の前後にＢＰＳＫ変調したＯＦＤＭシンボルに対するビットの位置を示している。
【００５８】
【表２】
0005592346.tif 000003
ビットは列で読み込まれ行で書かれ、ブロックインターリビングの後、サブキャリアでビット位置は下の表２（ｂ）の通りである。
【００５９】
【表３】
0005592346.tif 000004
周波数ローテーション後のビット位置は下の表２（ｃ）の通りである。
【００６０】
【表４】
0005592346.tif 000005
図１Ｂは本発明による４０ＭＨｚチャネルで２−アンテナＭＩＭＯのための送信機データ経路を有するＯＦＤＭ  ＭＩＭＯ送信機１２０の実施形態に対する機能ブロック図である。送信機１２０はチャネルエンコーダ１２３、パンクチャー１２４、空間パーザ１２６、および二つのデータストリームの処理経路１２７を含む。それぞれのデータストリームの処理経路１２７はインターリーバ（一番目の処理経路のためのインターリーバ（１２８Ａ）と二番目処理経路のためのインターリーバ（１２８Ｂ））、コンステレーションマッピング１３０、ＩＦＦＴ部１３２、保護区間挿入部１３４、およびＲＦ変調器１３６を含む。送信機のパーザ１２６およびインターリーバ１２８Ａ、１２８Ｂで符号化されてパンクチャーされたビットは空間ストリームと周波数トーンを通しインターリーブされる。インターリーバ１２８Ａ、１２８Ｂは前記説明した本発明によってより改善されたインターリビングの過程の実施形態を実施する。
【００６１】
図２は本発明によって提供されているより改善されたインターリビングの過程の実施形態による図１Ａの送信機１０１（または図１Ｂの送信機）の動作を示すフローチャートである。図２によれば送信機（図１Ａの１０１）は、原本ビットストリームを受ける段階（Ｓ２００）、チャネルエンコーダ１０３がコンボリューションエンコーディング（Ｃｏｎｖｏｌｕｔｉｏｎ  ｅｎｃｏｄｉｎｇ、以下ＣＣという）を用いてデータをエンコードする段階（Ｓ２０２）、パンクチャー１０４がコーディング率（ｃｏｄｉｎｇ  ｒａｔｅ）を変化させるためにＣＣからビットをパンクチャーする段階（Ｓ２０４）、空間パーザ１０６がデータストリームをいくつかの空間ストリームに分離する段階（Ｓ２０６）、そして一番目の経路を過ぎて、それぞれの処理経路１０７で、本発明の実施形態による周波数ローテーションが付加された８０２．１１ａと類似のインターリーバを使用し、インターリーバ１０８Ｂがビットをインターリーブする段階（Ｓ２０８）（すなわち、他の空間ストリームに対して他のローテーションが使用され、例えば２０ＭＨｚチャネルでは４８データサブキャリアを通しデータがインターリーブされ、４０ＭＨｚチャネルでは１０８データサブキャリアを通しデータがインターリーブされる）、コンステレーションマッピング１１０がグレーマッピング法則（Ｇｒａｙ  Ｍａｐｐｉｎｇ  Ｒｕｌｅ）を用いて、インターリーブされたビットをシンボルに分類する段階（Ｓ２１０）（例えばＢＰＳＫは１ビットを一つのシンボルに、６４  ＱＡＭは６ビットを一つのシンボルに分類するなど）、シンボルがＩＦＦＴ動作によって一つのＯＦＤＭシンボルのデータサブキャリアに分布され、ここでデータシンボルはＩＦＦＴのためにそれぞれのサブキャリアにマッピングされる段階（Ｓ２１２）、ＩＦＦＴ部１１２が周波数領域のデータを時間領域の伝送データに変える段階（Ｓ２１４）、保護部１１４がシンボル間の干渉を防止するため、時間領域でそれぞれのＯＦＤＭシンボルに保護区間を加える段階２１６、そして、ＲＦ変調器１１６で信号がＲＦ変調されてアンテナ１１７によってチャネルを通して伝送される段階（Ｓ２１８）で動作する。
【００６２】
図３は本発明の他の実施形態による多数の空間ストリーム経路に対するインターリビング処理を利用する送信機３００のより詳しいブロック図である。送信機３００は空間パーシング３０２と多数の（すなわち、２  ｔｏ  ｎ、例えばｎ＝４）空間ストリームの処理経路３０４を含む。それぞれの処理経路３０４は２番目の置換インターリーバブロック３０６とビット−シンボルマッピング（ｂｉｔ  ｔｏ  ｓｙｍｂｏｌ  ｍａｐｐｅｒ、３０８）を含む。それぞれのインターリーバは一番目の置換インターリーバブロック（ａ  ｂｌｏｃｋ  ｆｉｒｓｔ  ｐｅｒｍｕｔａｔｉｏｎ  ｉｎｔｅｒｌｅａｖｅｒ、３１０）と二番目の置換インターリーバブロック（ａ  ｂｌｏｃｋ  ｓｅｃｏｎｄ  ｐｅｒｍｕｔａｔｉｏｎ  ｉｎｔｅｒｌｅａｖｅｒ、３１２）を含む。そして、一番目の空間ストリームの処理経路を過ぎた他の空間ストリームに対して、Ｎ−周波数ローテーションが周波数ローテーションブロック３１１によって行われる。
【００６３】
空間パーシング３０２によって多数の空間ストリームに入力ビットストリームの空間パーシングした後、それぞれの空間ストリームは対応される空間ストリームの処理経路３０４で処理される。そして、それぞれの空間ストリームの処理経路３０４で処理されたビットはチャネルを通して伝送される（例えば図１Ａのシステム１００のように）。
【００６４】
前述したように図３で一番目の空間ストリームの処理経路３０４を過ぎたそれぞれの空間ストリーム経路でのインターリーバ３０６は、一番目の置換インターリーバブロック３１０、二番目の置換インターリーバブロック３１２、および周波数ローテーションの３番目の置換３１１を含み、ここで周波数ローテーションインターリーバ３１１は本発明において、例えば前記式１２−１４によって形成される。
【００６５】
図４を参照すれば、受信機４００は反対の動作をし、本発明によってここで受信機４００はそれぞれの空間ストリームの受信されたビットをデインターリビングするため、それぞれの空間ストリームに対するデインタリーバ４０２を含む。一番目の経路を過ぎて、それぞれのデインタリーバ４０２は３番目の置換周波数デローテーション４０１、前記式５による二番目の置換デインタリーバ４０４、および前記式１５−１７により実施される一番目の置換デインタリーバ４０６Ａ、４０６Ｂを含む。
【００６６】
シミュレーション例は２０ＭＨｚ  ＭＩＭＯチャネル化で本発明によってさらに改善されたインターリビングの過程の利益を証明する。シミュレーション例に関するコーディングおよび変調方式（ｍｏｄｕｌａｔｉｏｎ  ｍｏｄｅ）は表３に提示した。
【００６７】
【表５】
0005592346.tif 000006
図５Ａ−Ｂは前記提示された変調およびコーディングの組み合わせに対するＩＥＥＥ  ８０２．１１ｎチャネルモデルであるＢＬＯＳ、ＤＬＯＳ、ＥＬＯＳおよびＤＮＬＯＳに関する比較結果である。例を単純にするため、完全な同期化、ＲＦ障害がないこと、完璧なチャネル測定を仮定した。そして、ＭＭＳＥディテクター（ｄｅｔｅｃｔｏｒ）がデータストリーム分離のために使用された。
【００６８】
図５Ａでは、グラフ５０１、５０２、および５０３は代理人であるＤｏｃｋｅｔ  Ｎｏ．Ｓ．ＡＭ２Ｂ．ＰＡＵ．０７によって出願された特許によるＣＣ５／６  ＢＮＬＯＳ動作、本発明によるＣＣ５／６  ＢＮＬＯＳ動作、および従来技術によるＣＣ５／６  ＢＮＬＯＳ動作をそれぞれ示す。
【００６９】
類似に、グラフ５０４、５０５および５０６は代理人であるＤｏｃｋｅｔ  Ｎｏ．Ｓ．ＡＭ２Ｂ．ＰＡＵ．０７によって出願された特許によるＣＣ５／６  ＤＮＬＯＳ動作、本発明によるＣＣ５／６  ＤＮＬＯＳ動作、および従来技術によるＣＣ５／６  ＤＮＬＯＳ動作をそれぞれ示す。
【００７０】
類似に、グラフ５０７、５０８および５０９は代理人であるＤｏｃｋｅｔ  Ｎｏ．Ｓ．ＡＭ２Ｂ．ＰＡＵ．０７によって出願された特許によるＣＣ５／６  ＥＮＬＯＳ動作、本発明によるＣＣ５／６  ＥＮＬＯＳ動作、および従来技術によるＣＣ５／６  ＥＮＬＯＳ動作をそれぞれ示す。
【００７１】
図５Ｂで、グラフ６０１、６０２、および６０３は代理人であるＤｏｃｋｅｔ  Ｎｏ．Ｓ．ＡＭ２Ｂ．ＰＡＵ．０７によって出願された特許によるＣＣ７／８  ＢＮＬＯＳ動作、本発明によるＣＣ７／８  ＢＮＬＯＳ動作、および従来技術によるＣＣ７／８  ＢＮＬＯＳ動作をそれぞれ示す。
【００７２】
類似に、グラフ６０４、６０５、および６０６は代理人であるＤｏｃｋｅｔ  Ｎｏ．Ｓ．ＡＭ２Ｂ．ＰＡＵ．０７によって出願された特許によるＣＣ７／８  ＤＮＬＯＳ動作、本発明によるＣＣ７／８  ＤＮＬＯＳ動作、および従来技術によるＣＣ７／８  ＤＮＬＯＳ動作をそれぞれ示す。
【００７３】
類似に、グラフ６０７、６０８、および６０９は代理人であるＤｏｃｋｅｔ  Ｎｏ．Ｓ．ＡＭ２Ｂ．ＰＡＵ．０７によって出願された特許によるＣＣ７／８  ＥＮＬＯＳ動作、本発明によるＣＣ７／８  ＥＮＬＯＳ動作、および従来技術によるＣＣ７／８  ＥＮＬＯＳ動作をそれぞれ示す。
【００７４】
多様なシミュレーションの結果から、単純化された方法は代理人であるＤｏｃｋｅｔ  Ｎｏ．Ｓ．ＡＭ２Ｂ．ＰＡＵ．０７によって出願された特許の方式と類似の結果を有することを示している。主要な動作的な改善事項は空間データストリームの間での周波数ローテーションである。
【００７５】
本発明の他の実施形態によれば、本発明による改善されたインターリビングの過程は図６のように２０ＭＨｚチャネルに対する修正されたＯＦＤＭ  ＭＩＭＯ送信機構造６００で実施されうる。図１Ａと比較すると、図６の修正された送信機構造でパンクチャーする過程はパーシング過程の後に行われる。この場合、データストリームの処理経路一つに当たりパンクチャーが一つずつ、二つのパンクチャーが使用される。この修正された構造を用いて、ＭＩＭＯシステムは同時に他のコーディング率を有するデータストリームを伝送することができる。
【００７６】
送信機６００はチャネルエンコーダ１０３、空間パーザ１０６、および二つのデータストリームの処理経路６０２を含む。それぞれのデータストリームの処理経路６０２はパンクチャー１０４、インターリーバ１０８Ａ、１０８Ｂ、コンステレーションマッピング１１０、ＩＦＦＴ部１１２、保護区間挿入部１１４、およびＲＦ変調器１１６を含む。送信機のパーザ１０６およびインターリーバ１０８Ａ、１０８Ｂで、符号化されてパンクチャーされたビットは空間ストリームと周波数トーンを通しインターリーブされる。
【００７７】
前述したように、送信機６００でそれぞれの空間データストリーム経路は、二つの空間ストリームに対してチャネル状態によって他の送信率（ｔｒａｎｓｍｉｓｓｉｏｎ  ｒａｔｅ）を有するようにするパンクチャー１０４を含む。一例として、一つのパンクチャー１０４は一番目のデータストリームに対してコンボリューションコード（１／２）を付与し、他のパンクチャー１０４は、二番目データストリームに対してコンボリューションコード（３／４）を付与する。多数のパンクチャー１０４を使用することによって柔軟性をさらに提供する。例えば、二つの送信アンテナがある場合、仮に一番目のアンテナが二番目アンテナよりさらに良いチャネルを提供すると、一番目のアンテナ側で伝送率が高くなり、二番目アンテナ側では伝送率が多少低くなりうる。このような組み合わせは本発明によるＭＩＭＯ  ＯＦＤＭシステムをさらに柔軟させ、本質的に伝送の最適化を可能とする。
【００７８】
当該技術分野の通常の技術を有する者が認識するように、図１Ｂで送信機はパーシング過程後にパンクチャーリング（ｐｕｎｃｔｕｒｉｎｇ）過程が行われるように類似に修正され得、ここでデータストリームの処理経路当りパンクチャーが一つずつ、二つのパンクチャーを図６および以上で説明したような方式のように使用されうる。
【００７９】
当該技術分野の通常の技術を有する者が認識するように、本発明の他の実施が可能であり、本発明は以上で説明した周波数ローテーションの例示的な数に制限されない。選択されたパラメータセット（ｓｅｔ）は８０２．１１ｎシステムで特定のサブキャリアの数に基づいて選択された。他のサブキャリアおよびパーザの数を有する他のシステムでは、本発明の原理が特定のローテーションパラメータを異にし、使用されうる。
【００８０】
以上添付された図面を参照し、本発明の実施形態について説明したが、本発明が属する技術分野における通常の知識を有する者は、本発明を、その技術的思想や必須の特徴を変更しない範囲で、他の具体的な形態において実施されうることを理解することができる。したがって、上記実施形態はすべての面で例示的なものであり、限定的なものではないと理解しなければならない。
【００８１】
以上の実施例に関し、更に、以下の項目を開示する。
【００８２】
（１）ビットストリームを多数の空間データストリームにパーシングする段階と、
無線システムのダイバーシティの増加のためにインターリビング動作後、周波数ローテーションを行うことによって、一つまたはそれ以上の空間データストリームそれぞれにあるビットをインターリビングする段階、および
それぞれの空間データストリーム上の該ビットを伝送する段階と、を含む無線システムでのデータ通信方法。
【００８３】
（２）前記空間データストリームに対する周波数ローテーションの数は全体の空間データストリームの数に対する関数である（１）に記載の無線システムでのデータ通信方法。
【００８４】
（３）前記ビットをインターリビングする段階は、
隣接する符号化されたビットが伝送のための一つのデータストリームにある隣接しないサブキャリアにマッピングされるようにする第１インターリビング置換の段階と、
符号化されたビットが多少重要な配列のビットを有するビットに選択的にマッピングされるようにする第２インターリビング置換の段階と、
無線システムのダイバーシティ増加のために様々な空間データストリーム上で変化しつつ、前記周波数ローテーションを提供する第３インターリビング置換の段階と、を含む（１）に記載の無線システムでのデータ通信方法。
【００８５】
（４）前記ビットをインターリビングする段階は、
（ａ）隣接する符号化されたビットが隣接しないサブキャリアにマッピングされるようにする段階と、
（ｂ）符号化されたビットが多少重要な配列を有するビットに選択的にマッピングされるようにし、低い信頼性を有するビット（ＬＳＢ）が長く連続することを防ぐ段階、および
（ｃ）周波数ローテーションを行う段階と、を含む（１）に記載の無線システムでのデータ通信方法。
【００８６】
（５）前記それぞれの空間データストリームインターリーバアレイはビットのＮｒｏｗ行およびＮｃｏｌｕｍｎ列を含み、前記（ａ）段階は下記の式に従い、
ｉ＝ＮｒｏｗＸ（ｋｍｏｄＮｃｏｌｕｍｎ）＋ｆｌｏｏｒ（ｋ／Ｎｃｏｌｕｍｎ）、ｋ＝０、１、…、ＮＣＢＰＳ−１、
前記（ｂ）段階は下記の式に従い、
ｊ＝ｓＸｆｌｏｏｒ（ｉ／ｓ）＋（ｉ＋ＮＣＢＰＳ−ｆｌｏｏｒ（ＮｃｏｌｕｍｎＸｉ／ＮＣＢＰＳ））ｍｏｄｓ、ｉ＝０、１、…、ＮＣＢＰＳ−１、ここでｓはｓ＝ｍａｘ（ＮＢＰＳＣ／２、１）によって定められ、
前記（ｃ）段階は下記の式に従い、
ｒ＝（ｊ−（（２ＸｉＳＳ）ｍｏｄ３＋３Ｘｆｌｏｏｒ（ｉＳＳ／３））ＸＮｒｏｔＸＮＢＰＳＣ）ｍｏｄＮＣＢＰＳ、  ｊ＝０、１、…、ＮＣＢＰＳ−１、
ここでＮＢＰＳＣはサブキャリア当たり符号化されたビットの数であり、ｋは一番目の置換前符号化されたビットのインデックスであり、ｉは一番目の置換後および二番目の置換前のインデックスであり、ｊは二番目の置換後および３番目の置換前のインデックスであり、ｒは３番目の置換後のインデックスであり、ｉＳＳ＝０、１、…、ＮＳＳ−１はインターリビング動作をする空間ストリームのインデックスであり、Ｎｒｏｔは使用される基本ローテーション数である、（４）に記載の無線システムでのデータ通信方法。
【００８７】
（６）それぞれの空間ビットストリームの伝送された前記ビットを受信する段階と、
下記の式により前記受信されたビットをティイントリビンする段階をさらに含み、
Ｘｄ＝（Ｘｄｄ＋（（２ＸｉＳＳ）ｍｏｄ３＋３Ｘｆｌｏｏｒ（ｉＳＳ／３））ＸＮｒｏｔＸＮＢＰＳＣ）ｍｏｄＮＣＢＰＳ、Ｘｄｄ＝０、１、…、ＮＣＢＰＳ−１、
ｊｄ＝ｓＸｆｌｏｏｒ（ｊｄｄ／ｓ）＋（ｊ＋ｆｌｏｏｒ（ＮｃｏｌｕｍｎＸｊｄｄ／ＮＣＢＰＳ））ｍｏｄｓ、ｊｄｄ＝０、１、…、ＮＣＢＰＳ−１、
ｉｄ＝ＮｃｏｌｕｍｎＸｉｄｄ−（ＮＣＢＰＳ−１）Ｘｆｌｏｏｒ（ＮｃｏｌｕｍｎＸｉｄｄ／ＮＣＢＰＳ）、ｉｄｄ＝０、１、…、ＮＣＢＰＳ−１、
ここでＸｄｄは一番目の置換前に符号化されたビットのインデックスであり、ｘｄは一番目の置換後および二番目の置換前のインデックスであり、ｊｄは二番目の置換後および３番目の置換前のインデックスであり、ｉｄは３番目の置換後のインデックスであり、ＮＣＢＰＳは一つのＯＦＤＭシンボルにある符号化されたビットの数に対応するブロックのサイズであり、ｉＳＳ＝０、１、…、ＮＳＳ−１はインターリビング動作をする空間ストリームのインデックスであり、Ｎｒｏｔは使用される基本ローテーション数である、（４）に記載の無線システムでのデータ通信方法。
【００８８】
（７）前記無線システムはＭＩＭＯシステムを含む（１）に記載の無線システムでのデータ通信方法。
【００８９】
（８）前記無線システムはＯＦＤＭ  ＭＩＭＯシステムを含む（７）に記載の無線システムでのデータ通信方法。
【００９０】
（９）前記ビットストリームをパーシングする段階は、
空間ダイバーシティ増加のためにビット別またはグループ別にラウンドロビンパーシングする段階をさらに含む（１）に記載の無線システムでのデータ通信方法。
【００９１】
（１０）前記ビットストリームをパーシングする段階は、
前記ビットストリームの一ビットが毎瞬間一つのデータストリームにパスされるようにビット別にラウンドロビンパーシングする段階をさらに含む（９）に記載の無線システムでのデータ通信方法。
【００９２】
（１１）前記パーシング段階後、それぞれの空間データストリームをパンクチャーする段階をさらに含む（１）に記載の無線システムでのデータ通信方法。
【００９３】
（１２）前記それぞれの空間データストリームをパンクチャー（ｐｕｎｃｔｕｒｉｎｇ）する段階はチャネル状態に基づく（１１）に記載の無線システムでのデータ通信方法。
【００９４】
（１３）ビットストリームを多数の空間データストリームにパスするパーザと、
多数の空間データストリームに対応し、無線システムのダイバーシティ増加のためにインターリビング動作後、周波数ローテーション動作を行うことによって、前記対応する空間データストリーム上の前記ビットをインターリーブする一つまたはそれ以上のインターリーバと、それぞれの空間データストリーム上の前記ビットを伝送する変調器を含む送信機、および
前記伝送されたビットを受信してデインタリーブする受信機と、を含む無線通信システム。
【００９５】
（１４）前記インターリーバは、
隣接する符号化されたビットが伝送のための一つのデータストリームにある非隣接サブキャリアにマッピングされるようにする第１インターリビング置換と、
符号化されたビットが多少重要な配列のビットに選択的にマッピングされるようにする第２インターリビング置換、および
無線システムのダイバーシティ増加のために他の周波数ローテーションを行うことによって、様々な空間データストリーム上で変化する第３インターリビング置換と、を実行する（１３）に記載の無線通信システム。
【００９６】
（１５）前記インターリーバは、
（ａ）符号化された隣接するビットが非隣接サブキャリアにマッピングされるようにする過程と、
（ｂ）符号化されたビットが多少重要な配列のビットに選択的にマッピングされるようにして低い信頼性を有するビット（ＬＳＢ）が長く連続することを防ぐ過程、および
（ｃ）周波数ローテーションを行う過程によってそれぞれの空間データストリーム上にある前記ビットをインターリビングする（１４）に記載の無線通信システム。
【００９７】
（１６）それぞれの空間データストリームインターリーバアレイはビットのＮｒｏｗ行およびＮｃｏｌｕｍｎ列を含み、前記（ａ）過程は下記の式に従い、
ｉ＝ＮｒｏｗＸ（ｋｍｏｄＮｃｏｌｕｍｎ）＋ｆｌｏｏｒ（ｋ／Ｎｃｏｌｕｍｎ）、ｋ＝０、１、…、ＮＣＢＰＳ−１、
前記（ｂ）過程は下記の式に従い、
ｊ＝ｓＸｆｌｏｏｒ（ｉ／ｓ）＋（ｉ＋ＮＣＢＰＳ−ｆｌｏｏｒ（ＮｃｏｌｕｍｎＸｉ／ＮＣＢＰＳ））ｍｏｄｓ、ｉ＝０、１、…、ＮＣＢＰＳ−１、
ここでｓはｓ＝ｍａｘ（ＮＢＰＳＣ／２、１）によって決まり、
前記（ｃ）過程は下記の式に従い、
ｒ＝（ｊ−（（２ＸｉＳＳ）ｍｏｄ３＋３Ｘｆｌｏｏｒ（ｉＳＳ／３））ＸＮｒｏｔＸＮＢＰＳＣ）ｍｏｄＮＣＢＰＳ、ｊ＝０、１、…、ＮＣＢＰＳ−１、
ここでＮＢＰＳＣはサブキャリア当たり符号化されたビットの数であり、ｋは一番目の置換前に符号化されたビットのインデックスであり、ｉは一番目の置換後および二番目の置換前のインデックスであり、ｊは二番目の置換後および３番目の置換前のインデックスであり、ｒは３番目の置換後のインデックスであり、ｉＳＳ＝０、１、…、ＮＳＳ−１はインターリビング動作をする空間ストリームのインデックスであり、Ｎｒｏｔは使用される基本ローテーション数である、（１５）に記載の無線通信システム。
【００９８】
（１７）前記受信機は、
受信された空間データストリーム上の前記ビットをそれぞれのデインタリーバがデインタリーブする複数のデインタリーバを含む（１６）に記載の無線通信システム。
【００９９】
（１８）前記それぞれのデインタリーブは下記の式に従い、前記受信されたビットをデインタリーブし、
Ｘｄ＝（Ｘｄｄ＋（（２ＸｉＳＳ）ｍｏｄ３＋３Ｘｆｌｏｏｒ（ｉＳＳ／３））ＸＮｒｏｔＸＮＢＰＳＣ）ｍｏｄＮＣＢＰＳ、Ｘｄｄ＝０、１、…、ＮＣＢＰＳ−１、
ｊｄ＝ｓＸｆｌｏｏｒ（ｊｄｄ／ｓ）＋（ｊ＋ｆｌｏｏｒ（ＮｃｏｌｕｍｎＸｊｄｄ／ＮＣＢＰＳ））ｍｏｄｓ、ｊｄｄ＝０、１、…、ＮＣＢＰＳ−１、
ｉｄ＝ＮｃｏｌｕｍｎＸｉｄｄ−（ＮＣＢＰＳ−１）Ｘｆｌｏｏｒ（ＮｃｏｌｕｍｎＸｉｄｄ／ＮＣＢＰＳ）、ｉｄｄ＝０、１、…、ＮＣＢＰＳ−１、
ここでｘｄｄは第１置換前に符号化されたビットのインデックスであり、ｘｄは第１置換後および第２置換前のインデックスであり、ｊｄは第２置換後および第３置換前のインデックスであり、ｉｄは第３置換後のインデックスであり、ＮＣＢＰＳは一つのＯＦＤＭシンボルにある符号化されたビットの数に対応するブロックのサイズであり、ｉＳＳ＝０、１、…、ＮＳＳ−１はインターリビング動作をする空間ストリームのインデックスであり、Ｎｒｏｔは使用される基本ローテーション数である、（１７）に記載の無線通信システム。
【０１００】
（１９）前記無線システムはＭＩＭＯシステムを含む（１３）に記載の無線通信システム。
【０１０１】
（２０）前記無線システムはＯＦＤＭ  ＭＩＭＯシステムを含む（１９）に記載の無線通信システム。
【０１０２】
（２１）前記パーザは空間ダイバーシティ増加のためにビット別にラウンドロビンパーシングによって、前記ビットストリームをパスする（１３）に記載の無線通信システム。
【０１０３】
（２２）前記パーザは前記ビットストリームの一ビットが毎瞬間一つのデータストリームでパスされるようにするためにビット別にラウンドロビンパーシングによって、前記ビットストリームをパスする（２１）に記載の無線通信システム。
【符号の説明】
【０１０４】
１０７    データストリームの処理経路
１０８    インターリーバ
１１２    ＩＦＦＴ部
１１４    保護区間挿入部
３１０    インターリーバブロック
３１１    周波数ローテーション
【図１Ａ】
0005592346.tif 000008
【図１Ｂ】
0005592346.tif 000009
【図２】
0005592346.tif 000010
【図３】
0005592346.tif 000011
【図４】
0005592346.tif 000012
【図５Ａ】
0005592346.tif 000013
【図５Ｂ】
0005592346.tif 000014
【図６】
0005592346.tif 000015